(57)【要約】【課題】利便性の向上が図れる電子機器を提供する。【解決手段】電子機器としてのプロジェクタ１を構成する操作パネル４は、押圧された場合に所定の信号を出力し、方向に関する情報を入力するための複数の方向スイッチ４１１Ｕ，４１１Ｄ，４１１Ｌ，４１１Ｒが実装された回路基板４１と、複数の方向スイッチ４１１Ｕ，４１１Ｄ，４１１Ｌ，４１１Ｒを押圧するためのスイッチ押圧部４２とを備える。スイッチ押圧部４２は、各方向スイッチ４１１Ｕ，４１１Ｄ，４１１Ｌ，４１１Ｒを平面的に覆う形状を有し、各方向スイッチ４１１Ｕ，４１１Ｄ，４１１Ｌ，４１１Ｒを押圧するための方向キートップ４４を備える。方向キートップ４４の外周には、回路基板４１に当接し、方向キートップ４４を回路基板４１に対して近接隔離する方向に揺動自在とする４つの支持部４４３が設けられている。【選択図】図３
2008243635.tif 000002
【特許請求の範囲】
【請求項１】
入力操作するための操作パネルを備えた電子機器であって、
前記操作パネルは、押圧された場合に所定の信号を出力し、方向に関する情報を入力するための複数の方向スイッチが実装された回路基板と、前記回路基板に積層配置され前記複数の方向スイッチを押圧するためのスイッチ押圧部とを備え、
前記スイッチ押圧部は、
前記複数の方向スイッチを平面的に覆う形状を有し、前記複数の方向スイッチを押圧するための方向キートップを備え、
前記方向キートップの外周には、前記操作パネルを組み立てた状態で、前記回路基板に向けて突出して前記回路基板に当接し、前記方向キートップを前記回路基板に対して近接隔離する方向に揺動自在とする少なくとも３つの支持部が設けられている
ことを特徴とする電子機器。
【請求項２】
請求項１に記載の電子機器において、
前記少なくとも３つの支持部は、前記操作パネルを組み立てた状態で、前記複数の方向スイッチの中心位置を中心とした回転対称位置にそれぞれ設けられている
ことを特徴とする電子機器。
【請求項３】
請求項１または請求項２に記載の電子機器において、
前記方向キートップには、前記操作パネルを組み立てた状態で、前記複数の方向スイッチの中心位置に対応する位置に、前記回路基板に向けて突出する押圧規制部が設けられ、
前記押圧規制部の突出方向先端位置は、前記支持部の突出方向先端位置に対して、前記回路基板から離間する位置に位置付けられている
ことを特徴とする電子機器。
【請求項４】
請求項１から請求項３のいずれかに記載の電子機器において、
前記複数の方向スイッチは、前記回路基板における所定位置を中心とした９０°の回転対称位置にそれぞれ実装された４つで構成され、
前記方向キートップには、前記操作パネルを組み立てた状態で、４つの前記方向スイッチに対応する位置から前記回路基板における前記所定位置を中心とした回転方向に４５°ずれた位置に、前記回路基板に向けて突出する４つの押圧規制部がそれぞれ設けられ、
前記押圧規制部の突出方向先端位置は、前記支持部の突出方向先端位置に対して、前記回路基板から離間する位置に位置付けられている
ことを特徴とする電子機器。
【請求項５】
請求項４に記載の電子機器において、
前記支持部は、前記操作パネルを組み立てた状態で、４つの前記方向スイッチに対応する位置から前記回転方向に４５°ずれた位置にそれぞれ設けられている
ことを特徴とする電子機器。
【請求項６】
請求項１から請求項５のいずれかに記載の電子機器において、
当該電子機器は、光源装置と、前記光源装置から射出された光束を画像情報に応じて変調する光変調装置と、前記光変調装置にて変調された光束を拡大投射する投射光学装置とを備えたプロジェクタである
ことを特徴とする電子機器。
【発明の詳細な説明】
【技術分野】
【０００１】
本発明は、入力操作するための操作パネルを備えた電子機器に関する。
【背景技術】
【０００２】
従来、利用者に操作を促し、電子機器の起動等を実施するための操作パネルが電子機器の外装筺体に配設されている（例えば、特許文献１参照）。
特許文献１に記載の操作パネルは、プロジェクタの外装筺体に配設された操作パネルである。この操作パネルは、外装筺体の孔から外部に露出する複数のキートップと、外装筐体内部に配置され、キートップの押下により押圧されて所定の信号を出力する複数のスイッチが実装された回路基板とを備える。そして、キートップの押下により、プロジェクタの各種機能を発揮させる構成となっている。
【０００３】
【特許文献１】特開２００４−２７２０９４号公報
【発明の開示】
【発明が解決しようとする課題】
【０００４】
ところで、複数のスイッチとしては、例えば、メニュー画面が表示された際に、メニュー画面上の各種項目を選択するために「上」、「下」、「右」、「左」等の方向に関する情報を入力するための複数の方向スイッチを含んでいる構成が多用される。
ここで、特許文献１に記載の操作パネルでは、複数のスイッチに対応させてキートップをそれぞれ設けた構成としている。このような構成では、複数のキートップのうちどのキートップが方向に関する情報を入力するためのキートップであるかを利用者に認識させることが難しく、利便性の向上が図れない。
【０００５】
本発明の目的は、利便性の向上が図れる電子機器を提供することにある。
【課題を解決するための手段】
【０００６】
本発明の電子機器は、入力操作するための操作パネルを備えた電子機器であって、前記操作パネルは、押圧された場合に所定の信号を出力し、方向に関する情報を入力するための複数の方向スイッチが実装された回路基板と、前記回路基板に積層配置され前記複数の方向スイッチを押圧するためのスイッチ押圧部とを備え、前記スイッチ押圧部は、前記複数の方向スイッチを平面的に覆う形状を有し、前記複数の方向スイッチを押圧するための方向キートップを備え、前記方向キートップの外周には、前記操作パネルを組み立てた状態で、前記回路基板に向けて突出して前記回路基板に当接し、前記方向キートップを前記回路基板に対して近接隔離する方向に揺動自在とする少なくとも３つの支持部が設けられていることを特徴とする。
【０００７】
ここで、回路基板に実装される方向スイッチとしては、「上」、「下」、「右」、「左」の４方向の４つの方向スイッチの他、その他の方向を含んだ４つ以上の方向スイッチや、例えば、「上」および「下」や「右」および「左」の２方向の２つの方向スイッチのみとしても構わない。
また、支持部としては、回路基板に当接した状態で、方向キートップを回路基板に対して近接隔離する方向に揺動自在とすればいずれの構造でもよく、例えば、所定の弾性力を有する板ばね構造を採用できる。
【０００８】
本発明では、電子機器を構成する操作パネルにおいて、スイッチ押圧部は、方向キートップを備える。そして、方向キートップは、複数の方向スイッチを平面的に覆う形状を有し、複数の方向スイッチを押圧可能に構成されている。すなわち、単体の方向キートップで、複数の方向スイッチをそれぞれ押圧可能に構成されている。このことにより、方向キートップを、スイッチ押圧部を構成する他の各キートップよりも大きいサイズで構成できる。また、方向キートップとスイッチ押圧部を構成する他の各キートップとを別体で構成することで、方向キートップと押圧部本体を構成する各キートップとで色等を変えて見え方の違う構成とすることができる。したがって、操作パネルにおいて、複数のキートップの中から方向に関する情報を入力するための方向キートップを利用者に認識させ易い構造を実現でき、利便性の向上が図れる。
【０００９】
ところで、例えば、方向キートップにおいて、支持部を設けない構成とした場合には、以下の問題が生じ易い。
方向キートップは、複数の方向スイッチを押圧するために、外装筐体と回路基板との間において、回路基板に対して近接隔離する方向に移動可能とする必要がある。すなわち、外装筐体または回路基板に対して所定の隙間を空けた状態で方向キートップを配設する必要がある。このような構成では、方向キートップが操作されていない状態であっても、外装筐体（孔）と方向キートップとの間に隙間が生じる恐れがあり、電子機器の外観上、好ましくない。また、スピーカやファン等の振動に連動して方向キートップが回路基板に対する近接隔離する方向（操作方向）にがたつき易い。
【００１０】
本発明では、方向キートップには、回路基板に当接する少なくとも３つの支持部が設けられている。また、少なくとも３つの支持部は、回路基板に当接した状態で、方向キートップを操作方向に揺動自在とする。このことにより、回路基板に対して方向キートップを安定した状態で配設でき、また、利用者により方向キートップを操作方向に円滑に操作させることができる。また、方向キートップが操作されていない状態では、少なくとも３つの支持部により方向キートップが回路基板に対して離間する側に押圧された状態となるため、外装筐体（孔）と方向キートップとの間に隙間が生じることがなく、電子機器の外観を好ましいものとすることができる。さらに、スピーカやファン等から方向キートップへの振動の伝達を少なくとも３つの支持部にて緩和できるため、スピーカやファン等の振動に連動して方向キートップが操作方向にがたつくことも抑制できる。
【００１１】
本発明の電子機器では、前記少なくとも３つの支持部は、前記操作パネルを組み立てた状態で、前記複数の方向スイッチの中心位置を中心とした回転対称位置にそれぞれ設けられていることが好ましい。
本発明では、少なくとも３つの支持部は、上述した位置にそれぞれ設けられているので、回路基板に対して方向キートップをさらに安定した状態で配設できる。
【００１２】
本発明の電子機器では、前記方向キートップには、前記操作パネルを組み立てた状態で、前記複数の方向スイッチの中心位置に対応する位置に、前記回路基板に向けて突出する押圧規制部が設けられ、前記押圧規制部の突出方向先端位置は、前記支持部の突出方向先端位置に対して、前記回路基板から離間する位置に位置付けられていることが好ましい。
ところで、例えば、方向キートップにおいて、上述した押圧規制部を設けない構成とした場合には、以下の問題が生じ易い。
すなわち、方向キートップにおける複数の方向スイッチの中心位置に対応する位置（以下、中心対応位置）が利用者により押下された場合には、方向キートップ全体が押し下げられ、複数の方向スイッチ全体が押圧されてしまう。
本発明では、方向キートップには、上述した押圧規制部が設けられている。すなわち、押圧規制部は、方向キートップが操作されていない状態では、回路基板との間に所定の隙間を有した状態に設定されている。また、押圧規制部は、方向キートップにおける前記中心対応位置が利用者により押下された場合に、回路基板に当接するように設定されている。このことにより、方向キートップにおける前記中心対応位置が利用者により押下された場合であっても、押圧規制部が回路基板に当接することで方向キートップ全体の押し下げを停止させ、方向キートップにより複数の方向スイッチ全体が押圧されてしまうことを抑制できる。
【００１３】
本発明の電子機器では、前記複数の方向スイッチは、前記回路基板における所定位置を中心とした９０°の回転対称位置にそれぞれ実装された４つで構成され、前記方向キートップには、前記操作パネルを組み立てた状態で、４つの前記方向スイッチに対応する位置から前記回路基板における前記所定位置を中心とした回転方向に４５°ずれた位置に、前記回路基板に向けて突出する４つの押圧規制部がそれぞれ設けられ、前記押圧規制部の突出方向先端位置は、前記支持部の突出方向先端位置に対して、前記回路基板から離間する位置に位置付けられていることが好ましい。
ところで、複数の方向スイッチを上述した４つで構成し、例えば、方向キートップにおいて、上述した押圧規制部を設けない構成とした場合には、以下の問題が生じ易い。
すなわち、方向キートップにおける４つの方向スイッチに対応する位置から前記回転方向に４５°ずれた位置（以下、ずれ位置）が利用者により押下された場合には、方向キートップにおける前記回転方向に沿って隣接して実装される２つの方向スイッチの間に対応する領域（以下、ずれ領域）が押し下げられ、前記２つの方向スイッチが押圧されてしまう。
本発明では、方向キートップには、上述した押圧規制部が設けられている。すなわち、押圧規制部は、方向キートップが操作されていない状態では、回路基板との間に所定の隙間を有した状態に設定されている。また、押圧規制部は、方向キートップにおける前記ずれ位置が利用者により押下された場合には、回路基板に当接するように設定されている。このことにより、方向キートップにおける前記ずれ位置が利用者により押下された場合であっても、押圧規制部が回路基板に当接することで方向キートップにおける前記ずれ領域の押し下げを停止させ、方向キートップにより前記２つの方向スイッチが押圧されてしまうことを抑制できる。
【００１４】
本発明の電子機器では、前記支持部は、前記操作パネルを組み立てた状態で、４つの前記方向スイッチに対応する位置から前記回転方向に４５°ずれた位置にそれぞれ設けられていることが好ましい。
本発明では、支持部は、上述した位置にそれぞれ設けられた４つで構成されている。このことにより、方向キートップにおける前記ずれ位置が利用者により押下された場合であっても、上述した押圧規制部に加えて、支持部の付勢力により、前記２つの方向スイッチが押圧されてしまうことを抑制できる。
【００１５】
本発明の電子機器では、当該電子機器は、光源装置と、前記光源装置から射出された光束を画像情報に応じて変調する光変調装置と、前記光変調装置にて変調された光束を拡大投射する投射光学装置とを備えたプロジェクタであることが好ましい。
本発明によれば、上述した電子機器をプロジェクタとすることで、上述した効果を好適に図れる。
【発明を実施するための最良の形態】
【００１６】
以下、本発明の実施の一形態を図面に基づいて説明する。
図１は、電子機器としてのプロジェクタ１の外観を示す斜視図である。
図２は、プロジェクタ１の内部構成を模式的に示す図である。
プロジェクタ１は、光源から射出される光束を画像情報に応じて変調して画像光（カラー画像）を形成し、形成したカラー画像をスクリーン（図示略）上に拡大投射するものである。このプロジェクタ１は、図１または図２に示すように、外装筐体２と、光学ユニット３（図２）と、操作パネル４（図１）とで大略構成されている。
なお、図２において、具体的な図示は省略したが、外装筐体２内には、光学ユニット３の他、プロジェクタ１内部の各構成部材を冷却する冷却ファン等を備えた冷却ユニット、およびプロジェクタ１内部の各構成部材を制御する制御装置等が配置される。
【００１７】
外装筐体２は、図１に示すように、略直方体形状を有し、プロジェクタ１の天面側を構成するアッパーケース２１と、プロジェクタ１の底面側を構成するロアーケース２２等で構成される。そして、各ケース２１，２２は、互いにねじ等で固定されている。
アッパーケース２１において、天面部分には、図１に示すように、操作パネル４の後述する押圧部本体の複数のキートップを外部に露出させるための複数の操作用孔２１１と、操作パネル４の後述する方向キートップ等を外部に露出させるための操作用孔２１２とが形成されている。そして、プロジェクタ１を組み立てた状態では、各操作用孔２１１，２１２を介して、操作パネル４の操作が可能となる。
また、各操作用孔２１１，２１２の縁部分には、アッパーケース２１の内側に向けて（下方側に向けて）突出するリブ２１１Ａ，２１２Ａ（図４参照）がそれぞれ形成されている。
【００１８】
光学ユニット３は、前記制御装置による制御の下、光源から射出された光束を光学的に処理して画像信号（画像情報）に対応したカラー画像を形成し、スクリーンに拡大投射する。この光学ユニット３は、図２に示すように、光源ランプ３１１やリフレクタ３１２等を有する光源装置３１と、レンズアレイ３２１，３２２、偏光変換素子３２３、および重畳レンズ３２４等を有する照明光学装置３２と、ダイクロイックミラー３３１，３３２、および反射ミラー３３３等を有する色分離光学装置３３と、入射側レンズ３４１、リレーレンズ３４２、および反射ミラー３４３，３４４等を有するリレー光学装置３４と、前記制御装置による制御の下、光源装置３１から射出された光束を画像信号に応じて変調する光変調装置としての３つの液晶パネル３５１、３つの入射側偏光板３５２、３つの射出側偏光板３５３、および３つの液晶パネル３５１にて変調された光束を合成してカラー画像を形成する色合成光学装置としてのクロスダイクロイックプリズム３５４等を有する光学装置３５と、カラー画像を拡大投射する投射光学装置としての投射レンズ３６と、これら各光学部品３１〜３６を内部に設定された照明光軸Ａに対する所定位置に配置する光学部品用筐体３７とを備える。
なお、上述した各光学部品３１〜３６については、種々の一般的なプロジェクタの光学系として利用されているため、具体的な説明を省略する。
【００１９】
図３および図４は、操作パネル４の構造を示す図である。具体的に、図３は、アッパーケース２１に対する操作パネル４の配設状態を示す分解斜視図である。図４は、アッパーケース２１に対する操作パネル４の配設状態を示す断面図である。
操作パネル４は、図３に示すように、アッパーケース２１の天面部分の平面視略中央部分に左右方向に延びるように設けられ、利用者にプロジェクタ１の起動・調整操作等を実施させるものである。この操作パネル４は、図３または図４に示すように、回路基板４１と、スイッチ押圧部４２とを備える。
【００２０】
回路基板４１には、図３または図４に示すように、複数のタクトスイッチ４１１が実装されている。
複数のタクトスイッチ４１１は、図３または図４に示すように、リード端子４１１１を回路基板４１に半田付けすることで実装されている。これらタクトスイッチ４１１には、その上面部から突出するとともに、内部に配置されたばね板を押し下げるためのボタン部４１１２が設けられている。初期状態においては、ばね板と回路基板４１上に形成された図示しない接点との間には隙間が形成されているが、スイッチ押圧部４２の後述するキートップを押し下げてタクトスイッチ４１１上のボタン部４１１２を押圧することで、回路基板４１上に形成された接点にばね板が押圧される。
例えば、複数のタクトスイッチ４１１は、具体的な図示は省略したが、プロジェクタ１の電源ＯＮ／ＯＦＦを実施するための電源スイッチ、画像の入力を切り換えるための入力切換スイッチ、メニュー画面を表示させるためのメニュースイッチ等を備えている。
そして、回路基板４１から各種タクトスイッチ４１１の押下に応じた信号が前記制御装置に出力され、前記制御装置により各種タクトスイッチ４１１の押下に応じた制御（電源ＯＮ／ＯＦＦ、画像の入力切換、メニュー画面の表示等）が実施される。
【００２１】
また、複数のタクトスイッチ４１１は、図３に示すように、「上」、「下」、「左」、「右」の４つの方向に関する情報を入力するための方向スイッチとしての４つのタクトスイッチ４１１Ｕ，４１１Ｄ，４１１Ｌ，４１１Ｒ（「上」の方向に関する情報を入力するための上方向スイッチ４１１Ｕ、「下」の方向に関する情報を入力するための下方向スイッチ４１１Ｄ、「左」の方向に関する情報を入力するための左方向スイッチ４１１Ｌ、「右」の方向に関する情報を入力するための右方向スイッチ４１１Ｒ）を備えている。
ここで、各方向スイッチ４１１Ｕ，４１１Ｄ，４１１Ｌ，４１１Ｒは、図３に示すように、回路基板４１の左側に位置するタクトスイッチ４１１Ｏを囲み、タクトスイッチ４１１Ｏを中心とした９０°の回転対称位置にそれぞれ実装されている。
そして、回路基板４１から各方向スイッチ４１１Ｕ，４１１Ｄ，４１１Ｌ，４１１Ｒの押下に応じた信号が前記制御装置に出力され、前記制御装置により各方向スイッチ４１１Ｕ，４１１Ｄ，４１１Ｌ，４１１Ｒの押下に応じた制御（例えば、表示されたメニュー画面上の各種項目の選択等）が実施される。
【００２２】
また、回路基板４１には、図３または図４に示すように、各方向スイッチ４１１Ｕ，４１１Ｄ，４１１Ｌ，４１１Ｒ近傍（タクトスイッチ４１１Ｏから離間する側）に、スイッチ押圧部４２の後述する方向キートップ４４を位置決めするための位置決め用孔４１２がそれぞれ形成されている。
【００２３】
スイッチ押圧部４２は、利用者により操作される部分である。このスイッチ押圧部４２は、図３または図４に示すように、回路基板４１の上方側に積層配置され、押圧部本体４３と、方向キートップ４４とを備える。
図５は、押圧部本体４３の構成を示す斜視図である。
押圧部本体４３は、図５に示すように、複数のキートップ４３１と、ベース部材４３２とを備え、これら複数のキートップ４３１およびベース部材４３２が一体的に構成されたものである。
【００２４】
複数のキートップ４３１は、複数のタクトスイッチ４１１のうち各方向スイッチ４１１Ｕ，４１１Ｄ，４１１Ｌ，４１１Ｒを除く他のタクトスイッチ４１１Ｏ，４１１Ｅ（図３）に応じた位置にそれぞれ配設され、利用者による操作により押し下げられてタクトスイッチ４１１Ｏ，４１１Ｅを押圧するものである。なお、これらキートップ４３１は、図５に示すように、略同様に構成されたものであるため、以下では、１つのキートップ４３１のみを説明する。
このキートップ４３１は、図５に示すように、操作部４３１１と、遮光部４３１２とで構成される。
操作部４３１１は、図５に示すように、略円柱形状を有し、利用者により操作される（押し下げられる）部分である。
遮光部４３１２は、図５に示すように、操作部４３１１の押し下げ方向（タクトスイッチ４１１に向かう方向、以下、操作方向）先端部分の外周から回路基板４１に沿って延出し、操作方向基端側に向かって立ち上がる断面略Ｌ字形状を有する。
そして、プロジェクタ１を組み立てた状態では、図４に示すように、操作用孔２１１に操作部４３１１が遊嵌状態で配置され、操作用孔２１１から操作部４３１１が外部に露出し、利用者により操作部４３１１の操作が可能となる。
ここで、タクトスイッチ４１１Ｏを押圧するためのキートップ４３１Ｏ（図５）を除く他のキートップ４３１は、図４に示すように、操作部４３１１と遮光部４３１２との溝にリブ２１１Ａが遊嵌状態で配置された状態となる。そして、遮光部４３１２およびリブ２１１Ａにより、外装筐体２内部から外部への操作用孔２１１を介した光漏れを防止している。
【００２５】
ベース部材４３２は、図５に示すように、回路基板４１の外形形状と略同一の外形形状の平面視矩形枠形状を有し、枠状内側部分にて複数のキートップ４３１を支持する。このベース部材４３２には、図５に示すように、枠状内側面から枠内部に向かって延びる支持材４３２１が形成され、該支持材４３２１の先端部分がキートップ４３１の遮光部４３１２に接続する。そして、操作部４３１１が利用者により操作されると、支持材４３２１が枠体に対して屈曲して、キートップ４３１が押し下げられる。
【００２６】
図６は、方向キートップ４４の構造を示す斜視図である。具体的に、図６（Ａ）は、方向キートップ４４をプロジェクタ１の天面側から見た斜視図である。図６（Ｂ）は、方向キートップ４４をプロジェクタ１の底面側から見た斜視図である。
方向キートップ４４は、図３に示すように、押圧部本体４３とは別体で構成され、利用者による操作により押し下げられて各方向スイッチ４１１Ｕ，４１１Ｄ，４１１Ｌ，４１１Ｒを押圧するものである。この方向キートップ４４は、図６に示すように、方向用操作部４４１と、方向用遮光部４４２と、４つの支持部４４３とを備える。
【００２７】
方向用操作部４４１は、図３または図４に示すように、各方向スイッチ４１１Ｕ，４１１Ｄ，４１１Ｌ，４１１Ｒを平面的に覆う形状を有し、利用者により操作される（押し下げられる）部分である。この方向用操作部４４１は、図６に示すように、基部４４１１と、延出部４４１２とを備える。
基部４４１１は、図６に示すように、略中心部分にキートップ４３１Ｏの操作部４３１１を遊嵌状態で配置するための円孔４４１１Ａを有する平面視円環形状を有する。
この基部４４１１の裏面には、図６（Ｂ）に示すように、各方向スイッチ４１１Ｕ，４１１Ｄ，４１１Ｌ，４１１Ｒに応じた各位置（円環形状の中心位置を中心とした９０°の回転対称位置）に、十字状の当接部４４１１ＢＵ，４４１１ＢＤ，４４１１ＢＬ，４４１１ＢＲがそれぞれ立設されている。
【００２８】
そして、基部４４１１の円環状の輪帯部分である上側領域ＡｒＵ（図６（Ａ））が利用者による操作によって押し下げられた際に、当接部４４１１ＢＵが方向スイッチ４１１Ｕに当接して方向スイッチ４１１Ｕが押圧される。同様に、各下側領域ＡｒＤ、左側領域ＡｒＬ、右側領域ＡｒＲ（図６（Ａ））が押し下げられた際に、各当接部４４１１ＢＤ，４４１１ＢＬ，４４１１ＢＲが各方向スイッチ４１１Ｄ，４１１Ｌ，４１１Ｒに当接して押圧する。
また、基部４４１１の裏面には、図６（Ｂ）に示すように、円孔４４１１Ａの縁部から方向用操作部４４１の操作方向に突出する第１リブ４４１１Ｃと、第１リブ４４１１Ｃの外側に位置し第１リブ４４１１Ｃを囲う第２リブ４４１１Ｄとがそれぞれ立設されている。
延出部４４１２は、図６に示すように、基部４４１１の外縁部分から方向用操作部４４１の操作方向に延出する部分である。
【００２９】
方向用遮光部４４２は、図６に示すように、方向用操作部４４１の操作方向先端部分の外周から回路基板４１に沿って延出し、操作方向基端側に向かって立ち上がる断面略Ｌ字形状を有する。
そして、プロジェクタ１を組み立てた状態では、図４に示すように、操作用孔２１２に方向用操作部４４１が遊嵌状態で配置され、操作用孔２１２から方向用操作部４４１が外部に露出し、利用者による方向用操作部４４１の操作が可能となる。また、円孔４４１１Ａにキートップ４３１Ｏの操作部４３１１が遊嵌状態で配置され、円孔４４１１Ａからキートップ４３１Ｏの操作が可能となる。
ここで、方向キートップ４４は、図４に示すように、方向用操作部４４１と方向用遮光部４４２との溝にリブ２１２Ａが遊嵌状態で配置された状態となる。また、キートップ４３１Ｏは、操作部４３１１と遮光部４３１２との溝に第１リブ４４１１Ｃが遊嵌状態で配置された状態となり、かつ、遮光部４３１２が第１リブ４４１１Ｃと第２リブ４４１１Ｄとの溝に遊嵌状態で配置された状態となる。そして、方向用遮光部４４２およびリブ２１２Ａと、遮光部４３１２および各リブ４４１１Ｃ，４４１１Ｄとにより、外装筐体２内部から外部への操作用孔２１２および円孔４４１１Ａを介した光漏れを防止している。
【００３０】
この方向用遮光部４４２において、操作方向先端部分には、図６（Ｂ）に示すように、回路基板４１の各位置決め用孔４１２に対応する位置（方向用操作部４４１における円環形状の中心位置を中心とした９０°の回転対称位置）に、位置決め突起４４２１がそれぞれ突設されている。そして、プロジェクタ１を組み立てた状態では、図４に示すように、各位置決め突起４４２１が各位置決め用孔４１２に挿通され、回路基板４１に対して方向キートップ４４が位置決めされる。
【００３１】
また、この方向用遮光部４４２において、操作方向先端部分には、図６（Ｂ）に示すように、各位置決め突起４４２１に対して、方向用操作部４４１における円環形状の中心位置を中心とした回転方向に沿って４５°ずれた位置に、押圧規制部４４２２がそれぞれ突設されている。
ここで、各押圧規制部４４２２の操作方向先端位置は、図６に示すように、各支持部４４３の操作方向先端位置に対して、回路基板４１から離間する位置に位置付けられている。
【００３２】
また、方向用操作部４４１の延出部４４１２、および方向用遮光部４４２には、図６（Ｂ）に示すように、回路基板４１から離間する方向に切り込まれた２つの切り欠き部４４Ａが形成されている。そして、２つの切り欠き部４４Ａには、具体的な図示は省略したが、プロジェクタ１を組み立てた状態では、キートップ４３１Ｏに接続する２つの支持材４３２１Ｏ（図５）が挿通される。
【００３３】
４つの支持部４４３は、方向用遮光部４４２の操作方向先端部分の外周から操作方向に突出し、プロジェクタ１を組み立てた状態で、図４に示すように、回路基板４１に当接する部分である。また、４つの支持部４４３は、図６（Ｂ）に示すように、各押圧規制部４４２２に対応した位置（方向用操作部４４１における円環形状の中心位置を中心とした９０°の回転対称位置）にそれぞれ形成されている。なお、これら支持部４４３は、図６に示すように、同様のものであるため、以下では、１つの支持部４４３のみを詳細に説明する。
より具体的に、支持部４４３は、図６に示すように、基端部分が回路基板４１に略平行に延出し、先端部分が回路基板４１に近接する方向に屈曲し、さらに、回路基板４１に略平行に延出する形状を有する。
そして、支持部４４３は、方向キートップ４４の材料の剛性、および上述した形状により、基端部分が可撓性を有する板ばね構造で構成されている。すなわち、プロジェクタ１を組み立てた状態で、４つの支持部４４３が回路基板４１に当接して方向キートップ４４が回路基板４１に支持されるとともに、４つの支持部４４３により方向キートップ４４が操作方向（回路基板４１に対して近接隔離する方向）に揺動自在に構成される。
【００３４】
上述した本実施形態によれば、以下の効果がある。
本実施形態では、プロジェクタ１を構成する操作パネル４において、スイッチ押圧部４２は、押圧部本体４３と、該押圧部本体４３とは別体で構成された方向キートップ４４とを備える。そして、方向キートップ４４は、各方向スイッチ４１１Ｕ，４１１Ｄ，４１１Ｌ，４１１Ｒを平面的に覆う形状を有し、各方向スイッチ４１１Ｕ，４１１Ｄ，４１１Ｌ，４１１Ｒを押圧可能に構成されている。すなわち、単体の方向キートップ４４で、各方向スイッチ４１１Ｕ，４１１Ｄ，４１１Ｌ，４１１Ｒをそれぞれ押圧可能に構成されている。このことにより、方向キートップ４４を、押圧部本体４３を構成する各キートップ４３１よりも大きいサイズで構成できる。また、方向キートップ４４と押圧部本体４３とが別体で構成されているので、方向キートップ４４と押圧部本体４３を構成する各キートップ４３１とで色等を変えて見え方の違う構成とすることができる。したがって、操作パネル４において、複数のキートップ４３１，４４の中から方向に関する情報を入力するための方向キートップ４４を利用者に認識させ易い構造を実現でき、利便性の向上が図れる。
【００３５】
また、方向キートップ４４には、回路基板４１に当接する４つの支持部４４３が設けられている。また、４つの支持部４４３は、回路基板４１に当接した状態で、方向キートップ４４に揺動自在とする。このことにより、簡素な構成で、回路基板４１に対して方向キートップ４４を安定した状態で配設でき、また、利用者により方向キートップ４４を操作方向に円滑に操作させることができる。また、方向キートップ４４が操作されていない状態では、４つの支持部４４３により方向キートップ４４が回路基板４１に対して離間する側に押圧された状態となるため、アッパーケース２１の操作用孔２１２と方向キートップ４４との間に隙間が生じることがなく、プロジェクタ１の外観を好ましいものとすることができる。さらに、スピーカやファン等から方向キートップ４４への振動の伝達を４つの支持部４４３にて緩和できるため、スピーカやファン等の振動に連動して方向キートップ４４が操作方向にがたつくことも抑制できる。
【００３６】
ここで、４つの支持部４４３は、方向用操作部４４１における円環形状の中心位置を中心とした９０°の回転対称位置にそれぞれ設けられているので、回路基板４１に対して方向キートップ４４をさらに安定した状態で配設できる。
【００３７】
また、方向キートップ４４には、４つの押圧規制部４４２２が設けられている。すなわち、各押圧規制部４４２２は、方向キートップ４４が操作されていない状態では、回路基板４１との間に所定の隙間を有した状態に設定されている。また、各押圧規制部４４２２は、方向キートップ４４における各領域ＡｒＵ，ＡｒＤ，ＡｒＬ，ＡｒＲの境界位置Ｐ１〜Ｐ４（図６）が利用者により押下された場合には、回路基板４１に当接するように設定されている。このことにより、方向キートップ４４における各境界位置Ｐ１〜Ｐ４が利用者により押下された場合であっても、押圧規制部４４２２が回路基板４１に当接することで方向キートップ４４における各境界位置Ｐ１〜Ｐ４を含む各領域の押し下げを停止させ、方向キートップ４４により４つの方向スイッチ４１１Ｕ，４１１Ｄ，４１１Ｌ，４１１Ｒのうち隣接して実装される２つの方向スイッチ（境界位置Ｐ１が押下された場合は方向スイッチ４１１Ｕ，４１１Ｒ、境界位置Ｐ２が押下された場合は方向スイッチ４１１Ｒ，４１１Ｄ、境界位置Ｐ３が押下された場合は方向スイッチ４１１Ｄ，４１１Ｌ、境界位置Ｐ４が押下された場合は方向スイッチ４１１Ｌ，４１１Ｕ）が押圧されてしまうことを抑制できる。
【００３８】
ここで、４つの支持部４４３は、各押圧規制部４４２２に対応した位置にそれぞれ設けられている。このことにより、方向キートップ４４における各境界位置Ｐ１〜Ｐ４が利用者により押下された場合であっても、上述した押圧規制部４４２２に加えて、支持部４４３の付勢力により、前記２つの方向スイッチが押圧されてしまうことを抑制できる。
【００３９】
なお、本発明は前述の実施形態に限定されるものではなく、本発明の目的を達成できる範囲での変形、改良等は本発明に含まれるものである。
前記実施形態では、回路基板４１に、「上」、「下」、「右」、「左」の４方向の４つの方向スイッチ４１１Ｕ，４１１Ｄ，４１１Ｌ，４１１Ｒが実装された構成を説明したが、その他の方向を含んだ４つ以上の方向スイッチが実装された構成や、例えば、上方向スイッチ４１１Ｕおよび下方向スイッチ４１１Ｄや、左方向スイッチ４１１Ｌおよび右方向スイッチ４１１Ｒの２つの方向スイッチのみが実装された構成としても構わない。この際、方向キートップ４４としては、各方向スイッチを平面的に覆う平面形状を有するように構成すればよい。
【００４０】
図７は、前記実施形態の変形例を示す図である。具体的に、図７は、図６に対応した図である。
前記実施形態において、方向キートップ４４の構成は、前記実施形態で説明した構成に限らない。
例えば、方向キートップ４４は、平面視円環形状で構成していたが、矩形状、円形状、三角形状、その他の多角形状等、種々の平面形状で構成しても構わない。
ここで、回路基板４１におけるタクトスイッチ４１１Ｏを省略し、方向キートップ４４´を図７に示すように平面視円形状に構成した場合には、押圧規制部４４２２´を以下に示す位置に設けた構成としてもよい。
すなわち、図７（Ｂ）に示すように、各方向スイッチ４１１Ｕ，４１１Ｄ，４１１Ｌ，４１１Ｒの中心位置に対応する位置ＰＯ（図７（Ａ））に、押圧規制部４４２２´を設ける。また、押圧規制部４４２２´の突出方向先端位置は、押圧規制部４４２２の突出方向先端位置と略同一の位置に位置付けられている。このような構成によれば、方向キートップ４４´における位置ＰＯが利用者により押下された場合であっても、押圧規制部４４２２´が回路基板４１に当接することで方向キートップ４４´全体の押し下げを停止させ、方向キートップ４４´により方向スイッチ４１１Ｕ，４１１Ｄ，４１１Ｌ，４１１Ｒ全体が押圧されてしまうことを抑制できる。
【００４１】
前記実施形態において、支持部４４３の構成は、前記実施形態で説明した構成に限らない。
例えば、支持部４４３は、板ばね構造で構成されていたが、これに限らず、回路基板４１に当接した状態で、方向キートップ４４を操作方向に揺動自在とすればいずれの構造でもよく、例えば、コイルばね等の付勢部材で構成しても構わない。
また、例えば、支持部４４３は、４つに限らず、少なくとも３つ設けられていれば、その数は、特に限定されない。また、支持部４４３は、方向用操作部４４１における円環形状の中心位置を中心とした回転対称位置に設けられていたが、回路基板４１に対して方向キートップ４４を安定した状態で配設できれば、回転対称位置に限らず、その他の位置に設けた構成を採用してもよい。
【００４２】
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板３５２，３５３は省略できる。
前記実施形態では、操作パネル４をプロジェクタに搭載していたが、これに限らず、その他の電子機器、例えば、パーソナルコンピュータやリモートコントローラ等に搭載しても構わない。
【産業上の利用可能性】
【００４３】
本発明の操作パネルは、利便性の向上が図れるため、電子機器に利用できる。
【図面の簡単な説明】
【００４４】
【図１】本実施形態における電子機器としてのプロジェクタの外観を示す斜視図。
【図２】前記実施形態におけるプロジェクタの内部構成を模式的に示す図。
【図３】前記実施形態における操作パネルの構造を示す図。
【図４】前記実施形態における操作パネルの構造を示す図。
【図５】前記実施形態における押圧部本体の構成を示す斜視図。
【図６】前記実施形態における方向キートップの構造を示す斜視図。
【図７】前記実施形態の変形例を示す図。
【符号の説明】
【００４５】
１・・・プロジェクタ（電子機器）、４・・・操作パネル、３１・・・光源装置、３６・・・投射レンズ（投射光学装置）、４１・・・回路基板、４２・・・スイッチ押圧部、４３・・・押圧部本体、４４，４４´・・・方向キートップ、３５１・・・液晶パネル（光変調装置）、４１１・・・タクトスイッチ、４１１Ｕ，４１１Ｄ，４１１Ｌ，４１１Ｒ・・・方向スイッチ、４４３・・・支持部、４４２２，４４２２´・・・押圧規制部。
【図１】
2008243635.tif 000003
【図２】
2008243635.tif 000004
【図３】
2008243635.tif 000005
【図４】
2008243635.tif 000006
【図５】
2008243635.tif 000007
【図６】
2008243635.tif 000008
【図７】
2008243635.tif 000009